(57)【要約】【課題】人体に有害なトルマリンを使用することなく、水道水中に効率的に金イオンを放出でき、しかもマイナスイオンを多量に含んだ水道水に活性化できるような水処理器具を提供する。【解決手段】内部に流路部を有するケーシング本体１と、ケーシング本体１の上部に設けられる流入管２とを備えており、ケーシング本体１の流路部に、多数の通水孔を有する金含有板７と、この金含有板７を支持する多数の通水孔を有する支持板６を配設している。また流水管１０の外側に磁気発生部材８，９を設けている。金含有板７に形成される通水孔の孔径は、支持板７に形成される通水孔の孔径よりも大径である。ケーシング本体１は上部キャップ体５と、流出管３を設けた下部キャップ体４とからなっている。【選択図】図２
0003134267.tif 000002
【実用新案登録請求の範囲】
【請求項１】
水道蛇口に装着される水処理器具であり、内部に流路部を有するケーシング本体と、該ケーシング本体の上部に設けられる流入管とを備えており、
前記ケーシング本体の流路部に、多数の通水孔を有する金含有板と、該金含有板を支持する多数の通水孔を有する支持板を配設するとともに、
前記流水管の外側に磁気発生部材を設けたことを特徴とする水処理器具。
【請求項２】
前記金含有板に形成される通水孔の孔径は、前記支持板に形成される通水孔の孔径よりも大径であることを特徴とする請求項１に記載の水処理器具。
【請求項３】
前記金含有板は、前記支持板の上面部に支持されていることを特徴とする請求項１又は２に記載の水処理器具。
【請求項４】
前記金含有板は純金板であり、前記支持板は合成樹脂板であることを特徴とする請求項１〜３のいずれかに記載の水処理器具。
【請求項５】
前記ケーシング本体は、上端部に前記流入管を設けた上部キャップ体と、下端部に流出管を設けた下部キャップ体とからなり、前記上部キャップ体の下端部に前記金含有板と前記支持板を保持したことを特徴とする請求項１〜４のいずれかに記載の水処理器具。
【請求項６】
前記ケーシング本体に、前記流路部と通じる外気連通部を設けたことを特徴とする請求項１〜５のいずれかに記載の水処理器具。
【請求項７】
前記外気連通部は、前記下部キャップ体の内周面側に多数の凸部を形成し、該キャップ体を前記上部キャップ体の嵌挿部に嵌挿したときに生じる空隙部であることを特徴とする請求項６に記載の水処理器具
【請求項８】
前記凸部は、下部キャップ体の縦方向に延びるリブ部であることを特徴とする請求項７に記載の水処理器具。
【請求項９】
前記流入管に、水道管蛇口と軸方向に回転可能に連結する弾性管を設けたことを特徴とする請求項１〜８のいずれかに記載の水処理器具。
【請求項１０】
前記上部キャップ体は弾性樹脂材で構成され、前記下部キャップ体は硬質樹脂材で構成されていることを特徴とする請求項５〜９のいずれかに記載の水処理器具。
【請求項１１】
前記磁気発生部材は、永久磁石のＳ極とＮ極を前記流水管の側面部に対向させて設けたものであることを特徴とする請求項１〜１０のいずれかに記載の水処理器具。
【考案の詳細な説明】
【技術分野】
【０００１】
本考案は、水道管の蛇口に装着して使用され、水道水中に金イオンを放出することができる水処理器具に関するものである。
【背景技術】
【０００２】
従来から、金が放出する金イオン（Ａｕ＋）が、皮膚の代謝機能を高め、人間の血液、リンパ液等を活性化させることは知られており、金含有の化粧料、飲料水等も知られている。この金は、水（Ｈ２Ｏ）と直接反応しないため、一般的には金箔、金粉の状態に加工して化粧料、飲料水等に混入している。しかし、金は非常に高価なものであり、金箔、金粉を多量に使用するため、コスト的に高くなり、貴金属資源の無駄である。
【０００３】
一方、水道水を活性化、改質化するために、水道管の蛇口に装着する器具が各種提案されている。例えばケーシング内に粒子状のトルマリンと、永久磁石を収納し、ケーシングの一部を金箔で覆うようにした活水装置（特許文献１）や、ケース内に所定カラットに研磨仕上げをした粒状のトルマリン原石を装填した水処理装置（特許文献２）等が提案されている。しかしながら、ここで使用されるトルマリンからはホウ素が放出され、これが体内に入るとホウ酸塩となって消化酵素の作用を阻害する等の問題があり、最近では使用が規制されている。
【０００４】
また、特許文献１は、ケーシング内の永久磁石がキャップで被覆され、しかも磁力が合成樹脂板で遮断されているため、水に対する磁気作用や、ケーシングの表裏面に貼着した金箔に対する磁気作用が弱まり、効果的な金イオンの放出が期待できない。
【０００５】
一方、ケース内に異極の永久磁石と薬石部を設けた磁気活性化装置（特許文献３）や、容器内にフィルターと棚部材を設け、棚部材に球状磁石を充填した活水器（特許文献４）等も提案されている。しかしながら、これらは水道水を高磁場に接触させて活性化したり、水中の不純物を磁気的に除去する効果は期待できても、金イオンとの関係については何ら念頭に無い。
【０００６】
【特許文献１】実用新案登録第３１１４１９８号公報
【特許文献２】実用新案登録第３０７８９６８号公報
【特許文献３】特開２００３−８０２６３号公報
【特許文献４】実用新案登録第３１０３１４３号公報
【考案の開示】
【考案が解決しようとする課題】
【０００７】
本考案は上述したような現状に鑑みて提案されたものであり、人体に有害なトルマリンを使用することなく、水道水中に効率的に金イオンを放出でき、しかもマイナスイオンを多量に含んだ水道水に活性化できるような水処理器具を提供することを目的とする。
また本考案は、簡単な構成で安価に製造できるようにした前記水処理器具を提供することを目的とする。
【課題を解決するための手段】
【０００８】
上記課題を解決するために提案された本考案は、
水道蛇口に装着される水処理器具であり、内部に流路部を有するケーシング本体と、該ケーシング本体の上部に設けられる流入管とを備えており、
前記ケーシング本体の流路部に、多数の通水孔を有する金含有板と、該金含有板を支持する多数の通水孔を有する支持板を配設するとともに、
前記流水管の外側に磁気発生部材を設けたことを特徴とする。
【０００９】
このような水処理器具によれば、水道水は、磁気発生部材の磁力の影響を受けて磁気活水化し、水分子のクラスタが小さくなって浸透性、流動性、溶解性、還元性が高い水に変質する。このような磁気活性化した水が金含有板に触れると、水との電位差により金イオンが水中に溶出することになる。
【００１０】
金含有板は、金成分を含有するものであれば純金、合金のいずれでもよい。また金属財、合成樹脂材等の下地材に金箔を貼着したものであってもよい。金の純度が高いほど金イオンの発生効率も高くなる。金含有板の形状は、円板、四角板等、装着するケーシング本体の内部形状に対応したものとする。金含有板と支持板の通水孔は、メッシュ構造も含んでいる。磁気発生手段は、永久磁石、電磁石等である。
【００１１】
また請求項２の考案によれば、前記金含有板に形成される通水孔の孔径は、前記支持板に形成される通水孔の孔径よりも大径であることを特徴とする。
【００１２】
このようにすると、小さな孔径の通水孔を有する支持板に水の流通が規制されて、水道水は泡沫状態となり、金含有板との接触効率が高まる。また目詰まりを生じた場合でも、安価な支持板を交換すればよい。さらに支持板を小さな通水孔とすることにより、水道水が細かな散水状態となって流出し、マイナスイオンが発生しやすくなる。
【００１３】
また請求項３の考案によれば、前記金含有板は、前記支持板の上面部に支持されていることを特徴とする。このようにすると、金含有板と水とが勢いよく、かつ長時間接触するため、金イオン溶出効果が高まる。
【００１４】
また請求項４の考案によれば、前記金含有板は純金板であり、前記支持板は合成樹脂板であることを特徴とする。このようにすれば、純金を使用するため金イオンの発生効率が高まるとともに、支持板の成形加工が安価となる。
【００１５】
また請求項５の考案によれば、前記ケーシング本体は、上端部に前記流入管を設けた上部キャップ体と、下端部に流出管を設けた下部キャップ体とからなり、前記上部キャップ体の下端部に前記金含有板と前記支持板を保持したことを特徴とする。
【００１６】
このようにすれば、金含有板と支持板のケーシング本体への組み付けが容易であり、ケーシング本体の構成も簡単で、安価に製作することができる。
【００１７】
また請求項６の考案によれば、前記ケーシング本体に、前記流路部と通じる外気連通部を設けたことを特徴とする。このようにすれば、支持板から流出する散水状態の水道水は、外気連通部から空気を巻き込んでマイナスイオンを発生させ、多量のマイナスイオンを含んだ水道水が流出管から流出する。
【００１８】
また請求項７の考案によれば、前記外気連通部は、前記下部キャップ体の内周面側に多数の凸部を形成し、該キャップ体を前記上部キャップ体の嵌挿部に嵌挿したときに生じる空隙部であることを特徴とする。
【００１９】
このようにすれば、下部キャップ体の全周方向から流路部内に空気を均等に導入することができ、マイナスイオンの発生効率が高まる。
【００２０】
また請求項８の考案によれば、前記凸部は、下部キャップ体の縦方向に延びるリブ部であることを特徴とする。このようにすると、外気連通部を簡単な構成で容易に成形することができるとともに、リブ状の凸部が下部キャップ体の補強材となるため、下部キャップ体の強度が高まる。
【００２１】
また請求項９の考案によれば、前記流入管に、水道管蛇口と軸方向に回転可能に連結する弾性管を設けたことを特徴とする。このようにすると、水処理器具を簡単、確実に水道水蛇口に取り付けることができ、さらに弾性管を回して磁気発生部材を地磁気と同方向となるように位置調整することができる。
【００２２】
また請求項１０の考案によれば、前記上部キャップ体は弾性樹脂材で構成され、前記下部キャップ体は硬質樹脂材で構成されていることを特徴とする。このようにすると、上部キャップ体の弾性力により金含有板と支持板を圧入して装着することができ、接着剤を使用しないので安全である。また下部キャップ体を上部キャップ体に嵌挿したときに、両キャップ体が確実に圧着することになる。
【００２３】
また請求項１１の考案によれば、前記磁気発生部材は、永久磁石のＳ極とＮ極を前記流水管の側面部に対向させて設けたことを特徴とする。永久磁石は最も安価で簡単に流水管に装着することができ、必要な磁力を有する永久磁石を選択することができる。
【考案の効果】
【００２４】
上述した本考案の水処理器具によれば、人体に有害なトルマリンを使用することなく、水道水中に効率的に金イオンを放出でき、しかもマイナスイオンを多量に含んだ水道水に活性化できる。また、構成が簡単であるため安価に製造できる、等の効果が得られる。
【考案を実施するための最良の形態】
【００２５】
以下、本考案の実施形態を添付図面に従って説明する。図１は本考案に係る水処理器具の全体斜視図であり、ケーシング本体１は、上部に流入管２、下部に流出管３を有している。
【００２６】
ケーシング本体１は、下部キャップ体４と上部キャップ体５とからなっており、図２及び図３に示すように、上部キャップ体５の下端嵌挿部５ａに下部キャップ体４の上部開口部が嵌挿されている。上部キャップ体５は、ここでは比較的弾力性を有する合成樹脂で造られた筒体であり、上端部に前記流入管２を接続する接続口部５ｂ（図３参照）が一体形成されている。また、外面部の下端部寄りには全周面方向にストッパ部５ｃが突設されており、このストッパ部５ｃの下方側が前記下端嵌挿部５ａとなっている。
【００２７】
上部キャップ体５の流路部５ｅの下端開口部５ｄには、支持板６と金含有板７が重ねて嵌着されている。これら支持板６と金含有板７は、図４に示すように同径の円板形状であり、それぞれに多数の小さな通水孔６ａ，７ａが開孔されている。金含有板７の通水孔７ａの孔径は、支持板６の通水孔６ａの孔径よりも大きく形成されている。ここでは、金含有板７の通水孔７ａは１．５ｍｍ〜３ｍｍであり、支持板６の通水孔６ａは０．３ｍｍ〜１ｍｍである。
【００２８】
支持板６と金含有板７の肉厚は、ここでは０．３ｍｍ〜２ｍｍであり、支持板６に硬質合成樹脂を使用し、金含有板７に純金板を使用している。金含有板７は支持板６の上面部に重ねて載置しているが、必要であれば固定してもよい。
【００２９】
上部キャップ体５に接続される流入管２には、図１及び図２に示すように外側部にＳ極とＮ極の一対の永久磁石８，９が対向して接着剤等で固定されている。永久磁石８，９は流入管２を流れる水道水が磁気活性化するような磁力を有するものが使用され、ここでは８００ガウスの永久磁石を使用している。
【００３０】
流入管２は硬質合成樹脂製であり、弾力性のある上部キャップ体５の接続口部５ｂに圧入することにより締着されている。流入管２の上端部にはゴム等の弾性管１０が接続され、この弾性管１０を介して水道管蛇口部１１に軸方向に回転可能に接続するようになっている。
【００３１】
一方、下部キャップ体４は、ここでは透明又は半透明の硬質合成樹脂であり、図３に示すように流路部４ｃの下端部には流出管３が一体形成されている。下部キャップ体４の内周面部には、図５に示すように縦方向に延びる多数の凸状のリブ部４ａ，４ｂが周面方向に多数形成されている。これらリブ部４ａ，４ｂは、図１及び図２に示すように、先端部が下部キャップ体４の上端開口部からわずかに突出するリブ部４ａと、このリブ部４ａよりも薄厚で開口上端部と同じ位置まで延びるリブ部４ｂとが交互に形成されている。
【００３２】
このような下部キャップ体４の上端開口部を上部キャップ体５の下端嵌挿部５ａに嵌挿すると、図５に示すようにリブ部４ａ，４ｂが下端嵌挿部５ａの外面部と圧接するとともに、上端開口部から突出したリブ部４ａの上端部が上部キャップ体５のストッパ部５ｃに接することになる。このため、図５に示すように、下部キャップ体４の上端開口部と上部キャップ体５の下端嵌挿部５ａの外面部の間に多数の空隙部が形成され、これにより外気連通部１２が形成されている。
【００３３】
次に、上述した本考案の水処理器具の使用例を説明する。図１に示すように、水道管蛇口部１１に水処理器具の弾性管１０を差し込み、方向磁石等を見ながら永久磁石８，９が地磁気のＳＮ極と同方向となるように弾性管１０の差し込み部分を回転させる。これにより永久磁石８，９の磁力が強化される（例えば０．５ガウス程度）。
【００３４】
水道管蛇口部１１から流出した水道水は、弾性管１０及び流出管２を通ってケーシング本体１に流入する。流出管２を通過する水道水は、永久磁石８，９の磁力の影響を受けて磁気活水化し、水分子のクラスタが小さくなって浸透性、流動性、溶解性、還元性が高い水に変質する。
【００３５】
ケーシング本体１に流入した水道水は、多数の通水孔を有する金含有板７及び支持板６に衝当し、上部キャップ体５の流路部５ｄにおいて泡沫状態となり、各通水孔７ａ，６ａを通って下部キャップ体４の流路部４ｃに散水状態に流出し、流出管３からケーシング本体１の外部に流出する。
【００３６】
金含有板７に衝当する水道水は永久磁石８，９で上述のように磁気活性化しており、金含有板７と接触したとき、水道水の電位差により金イオンが水中に溶出することになる。また、支持板６の通水孔６ａから細かく散水状態となって流出する水道水は、外気連通部１２から空気を巻き込んでマイナスイオンを発生させ、多量のマイナスイオンを含んだ水道水となって流出管３から流出する。
【００３７】
本考案者は上記水処理器具を通した水道水を浴槽に入れて入浴したところ、通常の水道水よりも保温効果が高まり、湯冷めをすることがなかった。また浴槽中の貯留水の色は薄黄色を呈しており、金イオンが溶出していることが確認できた。さらに水処理器具を通した水道水を容器に貯めて長期間放置しても異臭の発生や腐敗物の浮遊がなく、水道水の腐敗防止効果、殺菌効果が確認できた。
【００３８】
上述した実施態様は、本考案の一例を示したものであり、ケーシング本体１、支持板６、金含有板７、永久磁石８，９等の形状、構成は図示したものに限定されるものではなく、必要に応じて設計変更することができる。
【図面の簡単な説明】
【００３９】
【図１】本考案の水処理器具の全体斜視図である。
【図２】同じく水処理器具の下部キャップ体を取り外した状態の斜視図である。
【図３】同じく水処理器具のケーシング本体の断面図である。
【図４】同じく水処理器具の支持板と金含有板の斜視図である。
【図５】上部ケーシング体と下部ケーシング体の嵌挿部の水平断面図である。
【符号の説明】
【００４０】
１はケーシング本体
２は流入管
３は流出管
４は下部キャップ体
４ｃは流路部
５は上部キャップ体
５ａは下端嵌挿部
５ｃはストッパ部
５ｅは流路部
６は支持板
６ａは通水孔
７は金含有板
７ａは通水孔
８，９は永久磁石
１２は外気連通部
【図１】
0003134267.tif 000003
【図２】
0003134267.tif 000004
【図３】
0003134267.tif 000005
【図４】
0003134267.tif 000006
【図５】
0003134267.tif 000007